(57)【要約】【課題】本発明は、挿入損失の少ないフィルタ装置を提供することを目的とするものである。【解決手段】本発明のフィルタ装置は、内部に空洞１１ｅを有するシールドケース１１と、このシールドケース１１の内部表面に取り付けた共振棒１３とを備え、前記共振棒１３を棒状の共振部１３ａとこの共振部１３ａの一端部に位置するフランジ部１３ｂとにより構成するとともに、前記フランジ部１３ｂの外周端部をシールドケース１１の内部表面に接合したものである。【選択図】図１
2008098729.tif 000002
【特許請求の範囲】
【請求項１】
内部に空洞を有するシールドケースと、このシールドケースの内部表面に取り付けた共振棒とを備え、前記共振棒を棒状の共振部とこの共振部の一端部に位置するフランジ部とにより構成するとともに、前記フランジ部の外周端部を前記シールドケースの内部表面に接合したフィルタ装置。
【請求項２】
内部に空洞を有するシールドケースと、このシールドケースの内部表面に取り付けた共振棒とを備え、前記共振棒を棒状部材と、この棒状部材が嵌挿される中空筒状部とこの中空筒状部の一端部に位置するフランジ部とからなるフランジ部材とにより構成するとともに、前記フランジ部の外周端部を前記シールドケースの内部表面に接合したフィルタ装置。
【請求項３】
共振棒におけるフランジ部とシールドケースとの接合をロウ付けにより行うようにした請求項１または２記載のフィルタ装置。
【請求項４】
共振棒における共振部とフランジ部との境界部をフィレット形状に構成した請求項１記載のフィルタ装置。
【請求項５】
共振棒における中空筒状部とフランジ部との境界部をフィレット形状に構成した請求項２記載のフィルタ装置。
【発明の詳細な説明】
【技術分野】
【０００１】
本発明は、特にマイクロ波、準マイクロ波通信装置等に使用されるフィルタ装置に関するものである。
【背景技術】
【０００２】
従来のこの種のフィルタ装置は、図５に示すように構成されていた。図５において、１ａは箱体、１ｂは蓋体で、この蓋体１ｂと前記箱体１ａとにより内部に空洞１ｃを有するシールドケース１を構成している。そしてこのシールドケース１の内部表面は導電率の高い金属皮膜で覆われている。２は前記シールドケース１の内部にネジ３により取り付けた共振棒で、この共振棒２は導体により構成されており、前記シールドケース１とで共振器を構成し、この共振器を複数組み合わせてフィルタ特性を得ている。４は調整ボルトで、この調整ボルト４は前記シールドケース１における前記共振棒２の先端と対向する位置に設けた貫通穴５に取り付けられ、そしてこの調整ボルト４の先端と共振棒２の先端との間の距離を調整することによって、共振器の共振周波数を調整している。６ａ，６ｂは入力端子および出力端子で、この入力端子６ａおよび出力端子６ｂはそれぞれ対応する入力結合素子７ａおよび出力結合素子７ｂに接続され、かつこの入力結合素子７ａおよび出力結合素子７ｂはそれぞれ隣り合う共振器と容量結合している。８は段間調整ネジで、この段間調整ネジ８は前記共振器間に配置され、フィルタの帯域幅を調整するものである。
【０００３】
なお、この出願の発明に関する先行技術文献情報としては、例えば、特許文献１が知られている。
【特許文献１】特開２００２−２６１５０９号公報
【発明の開示】
【発明が解決しようとする課題】
【０００４】
しかしながら、上記した従来のフィルタ装置においては、シールドケース１と共振棒２とをネジ３により取り付けているため、シールドケース１と共振棒２とが空洞１ｃの内表面で接した箇所において両者の電気的接続が不安定になり、これが空洞１ｃの内表面を流れる高周波電流に対する電気抵抗の増加を招き、これにより、共振器のＱ値が低下してフィルタ装置の挿入損失が増加するという課題を有していた。
【０００５】
また、これに対して、図６に示すように、共振棒２をシールドケース１にロウ付けしてしまうという方法もあるが、この場合においても、シールドケース１内の空洞１ｃの内表面に施された銀や銅などの導電率の高い金属皮膜が、ロウ付け部の周囲においてロウ材料９に喰われてしまうため、導電率の高い金属皮膜の厚みが薄くなってしまい、その結果、共振棒２の取り付け箇所周辺における表面の電気抵抗が増加することになり、これにより、共振器のＱ値が低下してフィルタ装置の挿入損失が増加するという課題を有していた。
【０００６】
本発明は上記従来の課題を解決するもので、挿入損失の少ないフィルタ装置を提供することを目的とするものである。
【課題を解決するための手段】
【０００７】
上記目的を達成するために、本発明は以下の構成を有するものである。
【０００８】
本発明の請求項１に記載の発明は、内部に空洞を有するシールドケースと、このシールドケースの内部表面に取り付けた共振棒とを備え、前記共振棒を棒状の共振部とこの共振部の一端部に位置するフランジ部とにより構成するとともに、前記フランジ部の外周端部を前記シールドケースの内部表面に接合したもので、この構成によれば、共振棒を棒状の共振部とこの共振部の一端部に位置するフランジ部とにより構成するとともに、前記フランジ部の外周端部を前記シールドケースの内部表面に接合しているため、共振部とシールドケースの取付部周辺を共振部の一端部に位置するフランジ部で覆うことができ、これにより、フィルタ特性に特に影響の大きい共振部とシールドケースの取付部周辺の表面の電気抵抗を減少させることができるため、共振器のＱ値は向上することになり、これにより、挿入損失の少ないフィルタ装置が得られるという作用効果を有するものである。
【０００９】
本発明の請求項２に記載の発明は、内部に空洞を有するシールドケースと、このシールドケースの内部表面に取り付けた共振棒とを備え、前記共振棒を棒状部材と、この棒状部材が嵌挿される中空筒状部とこの中空筒状部の一端部に位置するフランジ部とからなるフランジ部材とにより構成するとともに、前記フランジ部の外周端部を前記シールドケースの内部表面に接合したもので、この構成によれば、共振棒を棒状部材と、この棒状部材が嵌挿される中空筒状部とこの中空筒状部の一端部に位置するフランジ部とからなるフランジ部材とにより構成するとともに、前記フランジ部の外周端部を前記シールドケースの内部表面に接合しているため、中空筒状部とシールドケースの取付部周辺を中空筒状部の一端部に位置するフランジ部で覆うことができ、これにより、フィルタ特性に特に影響の大きい中空筒状部とシールドケースの取付部周辺の表面の電気抵抗を減少させることができるため、共振器のＱ値は向上することになり、これにより、挿入損失の少ないフィルタ装置が得られるという作用効果を有するものである。
【００１０】
本発明の請求項３に記載の発明は、特に、共振棒におけるフランジ部とシールドケースとの接合をロウ付けにより行うようにしたもので、この構成によれば、共振棒におけるフランジ部とシールドケースとの接合をロウ付けにより行うようにしているため、共振棒とシールドケースとの接続部の表面は隙間なく連続することにより、これにより、高周波電流が共振棒とシールドケースとの接続部の表面を流れる際の電気抵抗を少なくすることができるため、共振器のＱ値は向上することになり、これにより、フィルタ装置の挿入損失を減少させることができるという作用効果を有するものである。
【００１１】
本発明の請求項４に記載の発明は、特に、共振棒における共振部とフランジ部との境界部をフィレット形状に構成したもので、この構成によれば、共振部とフランジ部との境界部をフィレット形状に構成しているため、共振部とシールドケースの取付部周辺の表面形状は滑らかに連続することになり、これにより、前記表面を流れる高周波電流が局所的に集中して流れにくくなる現象を回避できるため、共振器のＱ値は向上することになり、これにより、フィルタ装置の挿入損失を減少させることができるという作用効果を有するものである。
【００１２】
本発明の請求項５に記載の発明は、特に、共振棒における中空筒状部とフランジ部との境界部をフィレット形状に構成したもので、この構成によれば、中空筒状部とフランジ部との境界部をフィレット形状に構成しているため、中空筒状部とシールドケースの取付部周辺の表面形状は滑らかに連続することになり、これにより、前記表面を流れる高周波電流が局所的に集中して流れにくくなる現象を回避できるため、共振器のＱ値は向上することになり、これにより、フィルタ装置の挿入損失を減少させることができるという作用効果を有するものである。
【発明の効果】
【００１３】
以上のように本発明のフィルタ装置は、内部に空洞を有するシールドケースと、このシールドケースの内部表面に取り付けた共振棒とを備え、前記共振棒を棒状の共振部とこの共振部の一端部に位置するフランジ部とにより構成するとともに、前記フランジ部の外周端部を前記シールドケースの内部表面に接合しているため、共振部とシールドケースの取付部周辺を共振部の一端部に位置するフランジ部で覆うことができ、これにより、フィルタ特性に特に影響の大きい共振部とシールドケースの取付部周辺の表面の電気抵抗を減少させることができるため、共振器のＱ値は向上することになり、これにより、挿入損失の少ないフィルタ装置を得ることができるという優れた効果を奏するものである。
【発明を実施するための最良の形態】
【００１４】
（実施の形態１）
以下、実施の形態１を用いて、本発明の特に請求項１，３，４に記載の発明について説明する。
【００１５】
図１は本発明の実施の形態１におけるフィルタ装置の断面図、図２は同フィルタ装置における共振棒の斜視図である。
【００１６】
図１において、１１は略直方体形状のシールドケースで、このシールドケース１１は両面に厚み１０μｍの銅メッキを施した厚さ１ｍｍの銅メッキ鋼板を所定の形状に切断して折り曲げ加工することにより作製した箱体１１ａと、この箱体１１ａの下端開口部を閉塞する底蓋１１ｂと、前記箱体１１ａの上部開口部を閉塞する上蓋１１ｃとにより構成されている。そして前記箱体１１ａと底蓋１１ｂは還元炉の中で銀ロウ１２により相互に接合され、かつ前記箱体１１ａと上蓋１１ｃはネジ１１ｄにより取り付けられ、内部に空洞１１ｅを形成している。前記銀ロウ１２によるロウ付け作業の際には、箱体１１ａを構成する銅メッキ鋼板の切断面における鉄の露出部も同時に銀ロウ１２で覆い、表面の導電率を向上させている。
【００１７】
１３はシールドケース１１における空洞１１ｅの内部表面、すなわち底蓋１１ｂに取り付けた共振棒で、この共振棒１３は図２に示すように、共振子として機能する中空筒状部からなる棒状の共振部１３ａと、この共振部１３ａの一端部から半径方向に広がるフランジ部１３ｂとにより構成され、かつ共振部１３ａとフランジ部１３ｂとの境界部はフィレット形状１３ｃに構成しているものである。そして、この共振棒１３をシールドケース１１における空洞１１ｅの内部表面、すなわち底蓋１１ｂに取り付ける場合は、前記シールドケース１１を構成する箱体１１ａと底蓋１１ｂとを銀ロウ１２により接合する時に同時に、銀ロウ１２により接合しているものである。また、この共振棒１３の切断面における鉄の露出部は、前記銀ロウ１２による接合作業の際に銀ロウ１２で覆うようにしているものである。そしてまた、この共振棒１３と前記シールドケース１１とで共振器を構成し、この共振器を複数組み合わせてフィルタ特性を得ている。
【００１８】
１４は調整ボルトで、この調整ボルト１４は前記シールドケース１１に銀ロウ１２により接合した共振棒１３の先端と対向する位置に設けた貫通穴１５に取り付けられ、そしてこの調整ボルト１４の先端と共振棒１３の先端との間の距離を調整することによって、共振器の共振周波数を調整している。
【００１９】
１６ａ，１６ｂは入力端子および出力端子で、この入力端子１６ａおよび出力端子１６ｂはそれぞれ対応する入力結合素子１７ａおよび出力結合素子１７ｂに接続され、かつこの入力結合素子１７ａおよび出力結合素子１７ｂはそれぞれ隣り合う共振器と容量結合している。１８は段間調整ネジで、この段間調整ネジ１８は前記共振器間に配置され、フィルタの帯域幅を調整するものである。
【００２０】
上記のように構成されたフィルタ装置は、中空筒状部からなる棒状の共振部１３ａが共振子として機能し、そしてこの共振部１３ａを囲むシールドケース１１の内部表面および共振棒１３の表面に高周波電流が流れることになる。この場合、シールドケース１１の内部表面および共振棒１３の表面を含むループの中に電気抵抗の高いところがあると、共振器のＱ値が低下し、フィルタ装置の挿入損失が大きくなるものである。
【００２１】
しかるに、上記した本発明の実施の形態１においては、共振棒１３を棒状の共振部１３ａとこの共振部１３ａの一端部に位置するフランジ部１３ｂとにより構成するとともに、前記フランジ部１３ｂの外周端部をシールドケース１１の内部表面に接合しているため、共振部１３ａとシールドケース１１の取付部周辺を共振部１３ａの一端部に位置するフランジ部１３ｂで覆うことができ、これにより、フィルタ特性に特に影響の大きい共振部１３ａとシールドケース１１の取付部周辺の表面の電気抵抗を減少させることができるため、共振器のＱ値は向上することになり、これにより、挿入損失の少ないフィルタ装置が得られるという効果を有するものである。
【００２２】
また、本発明の実施の形態１においては、共振棒１３におけるフランジ部１３ｂとシールドケース１１との接合を銀ロウ１２によるロウ付けにより行うようにしているため、共振棒１３とシールドケース１１との接続部の表面は隙間なく連続することになり、これにより、高周波電流が共振棒１３とシールドケース１１との接続部の表面を流れる際の電気抵抗を少なくすることができるため、共振器のＱ値は向上することになり、これにより、フィルタ装置の挿入損失を減少させることができるという効果が得られるものである。
【００２３】
そしてまた、本発明の実施の形態１においては、共振棒１３における共振部１３ａとフランジ部１３ｂとの境界部をフィレット形状１３ｃに構成しているため、共振部１３ａとシールドケース１１の取付部周辺の表面形状は滑らかに連続することになり、これにより、前記表面を流れる高周波電流が局所的に集中して流れにくくなる現象を回避できるため、共振器のＱ値は向上することになり、これにより、フィルタ装置の挿入損失を減少させることができるという効果が得られるものである。
【００２４】
次に、本発明の実施の形態１におけるＱ値の測定例を示す。幅３４ｍｍ×長さ３７ｍｍ、高さ２３ｍｍのシールドケースと、高さ２２ｍｍ、外径１０ｍｍの共振部を有する共振棒を用いて共振器を複数作製し、そしてこれらの共振器における２ＧＨｚにおいて測定したＱ値は、シミュレーション値約４０００に対して、従来の共振棒をネジ止めのみによりシールドケースに固定した共振器のＱ値が約２８００、従来のフランジ部のない共振子をシールドケースに銀ロウによりロウ付けした共振器のＱ値が約２５００、本発明の実施の形態１のようにフランジ部１３ｂおよびフィレット形状１３ｃを有する共振棒１３を銀ロウ１２によりシールドケース１１に接合した共振器のＱ値が約３３００であった。このことからも、本発明の実施の形態１においては、共振器の特性を大きく向上させることができるものである。
【００２５】
なお、上記した本発明の実施の形態１における共振棒１３としては、パイプ状の銅管の一端を半径方向に広げるように延伸加工してフランジ部１３ｂを形成したものを用いてもよく、また、フランジ径と同寸法の丸棒銅材から削り出し加工したものを用いてもよいものである。
【００２６】
また、本発明の実施の形態１においては、共振部１３ａとフランジ部１３ｂとを一体成形した例について説明したが、共振部１３ａとフランジ部１３ｂを別体のもので作製し、これらを組み合わせて共振棒１３を構成してもよいものである。
【００２７】
そしてまた、本発明の実施の形態１においては、共振棒１３における棒状の共振部１３ａを中空筒状に構成しているが、この共振部１３ａは、共振器の設計によっては中空筒状でない円柱状の共振部１３ａに構成してもよいものである。
【００２８】
また、本発明の実施の形態１においては、銅メッキ鋼板から作製した箱体１１ａと底蓋１１ｂと上蓋１１ｃの３つの部材を備え、そして箱体１１ａと底蓋１１ｂとを銀ロウ１２により接合するとともに、箱体１１ａと上蓋１１ｃとをネジ１１ｄで固定することにより、シールドケース１１を構成しているが、これに限定されるものではなく、これ以外のシールドケース、例えば、銅メッキ鋼板を切断および折り曲げ加工して作製した有底形状の箱体と、この箱体の上部開口部を閉塞する上蓋の２つの部材を備え、そしてこの上蓋と有底形状の箱体とを銀ロウにより接合してなるシールドケースを用いてもよいものである。
【００２９】
（実施の形態２）
以下、実施の形態２を用いて、本発明の特に請求項２，３，５に記載の発明について説明する。
【００３０】
図３は本発明の実施の形態２におけるフィルタ装置の断面図、図４は同フィルタ装置における共振棒の斜視図を示したもので、上記図１、図２で示した本発明の実施の形態１におけるフィルタ装置と同じ構成部品については同一番号を付しており、その説明は省略する。
【００３１】
本発明の実施の形態２が、上記した本発明の実施の形態１と相違する点は、図３および図４からも明らかなように、シールドケース１１における空洞１１ｅの内部表面、すなわち底蓋１１ｂに取り付けられる共振棒１９の構成を変えた点である。
【００３２】
この共振棒１９は図４に示すように、中空筒状の棒状部材２０と、この棒状部材２０が嵌挿される中空筒状部２１ａとこの中空筒状部２１ａの一端部に位置するフランジ部２１ｂとからなるフランジ部材２１とにより構成し、そしてフランジ部２１ｂの外周端部をシールドケース１１の内部表面に銀ロウ１２により接合して取り付けているものである。
【００３３】
なお、前記棒状部材２０は両面に約１０μｍの厚さで銅メッキされた１ｍｍのメッキ鋼板を切断して筒状に曲げ加工しているものであり、また、前記フランジ部材２１は、厚さ約０．５ｍｍの銅製のパイプの一端を半径方向に広げる加工をして、中空筒状部２１ａとフランジ部２１ｂとを作製し、そして中空筒状部２１ａとフランジ部２１ｂとの境界部はフィレット形状２１ｃに構成しているものである。そしてまた、このフランジ部材２１は、厚さ０．５ｍｍの銅板を機械加工して作製することもできるものである。
【００３４】
また、前記共振棒１９をシールドケース１１における空洞１１ｅの内部表面、すなわち底蓋１１ｂに取り付ける場合は、前記シールドケース１１を構成する箱体１１ａと底蓋１１ｂとを銀ロウ１２により接合する時に同時に、銀ロウ１２により接合しているものである。そしてまた、前記銀ロウ１２による接合作業の際には同時に、棒状部材２０の向かい合った切断面同士および棒状部材２０と中空筒状部２１ａの接続部を銀ロウ１２により接合するとともに、棒状部材２０の切断面における鉄の露出部を銀ロウ１２で覆うようにしているものである。なお、前記共振棒１９は、棒状部材２０から中空筒状部２１ａまでの部分が共振子として機能するものである。
【００３５】
上記した本発明の実施の形態２においては、共振棒１９を棒状部材２０と、この棒状部材２０が嵌挿される中空筒状部２１ａとこの中空筒状部２１ａの一端部に位置するフランジ部２１ｂとからなるフランジ部材２１とにより構成するとともに、前記フランジ部２１ｂの外周端部を前記シールドケース１１の内部表面に接合しているため、中空筒状部２１ａとシールドケース１１の取付部周辺を中空筒状部２１ａの一端部に位置するフランジ部２１ｂで覆うことができ、これにより、フィルタ特性に特に影響の大きい中空筒状部２１ａとシールドケース１１の取付部周辺の表面の電気抵抗を減少させることができるため、共振器のＱ値は向上することになり、これにより、挿入損失の少ないフィルタ装置が得られるという効果を有するものである。
【００３６】
また、本発明の実施の形態２においては、共振棒１９におけるフランジ部２１ｂとシールドケース１１との接合をロウ付けにより行うようにしているため、共振棒１９とシールドケース１１との接続部の表面は隙間なく連続することになり、これにより、高周波電流が共振棒１９とシールドケース１１との接続部の表面を流れる際の電気抵抗を少なくすることができるため、共振器のＱ値は向上することになり、これにより、フィルタ装置の挿入損失を減少させることができるという効果が得られるものである。
【００３７】
また、本発明の実施の形態２においては、共振棒１９における中空筒状部２１ａとフランジ部２１ｂとの境界部をフィレット形状２１ｃに構成しているため、中空筒状部２１ａとシールドケース１１の取付部周辺の表面形状は滑らかに連続することになり、これにより、前記表面を流れる高周波電流が局所的に集中して流れにくくなる現象を回避できるため、共振器のＱ値は向上することになり、これにより、フィルタ装置の挿入損失を減少させることができるという効果が得られるものである。
【００３８】
また、本発明の実施の形態２においては、導電率の高い材料をフランジ部材２１としてフィルタ特性に特に影響の大きい箇所に限定して使用することができるため、材料を効果的に使用することができるものである。
【００３９】
そしてまた、本発明の実施の形態２における共振棒１９においては、棒状部材２０と中空筒状部２１ａとで共振子を構成しているが、中空筒状部２１ａの長さを共振子の全長の１／３以上にすることにより、棒状部材２０と中空筒状部２１ａとの接合部による共振器に及ぼす影響を約５０％以下に減少させることができるため、必要に応じて中空筒状部２１ａの長さを調整すればよい。
【００４０】
次に、本発明の実施の形態２におけるＱ値の測定例を示す。上記本発明の実施の形態１で作製した共振器と同じように、幅３４ｍｍ×長さ３７ｍｍ、高さ２３ｍｍのシールドケースと、高さ２２ｍｍ、外径１０ｍｍの共振部を有する共振棒を用いた本発明の実施の形態２における共振器を作製し、そしてこの共振器における２ＧＨｚにおいて測定したＱ値は約３３００であった。このことからも、本発明の実施の形態２においては、上記した本発明の実施の形態１と同じように、共振器のＱ値を向上させることができるものである。
【００４１】
なお、本発明の実施の形態２においては、共振棒１９における棒状部材２０を中空筒状に構成しているが、この棒状部材２０は、共振器の設計によっては中空筒状でない円柱状の棒状部材２０に構成してもよいものである。
【産業上の利用可能性】
【００４２】
本発明に係るフィルタ装置は、共振棒を棒状の共振部とこの共振部の一端部に位置するフランジ部とにより構成するとともに、前記フランジ部の外周端部をシールドケースの内部表面に接合した構成とすることにより、共振器のＱ値が向上して挿入損失を減少させることができるという効果を有するものであり、特にマイクロ波および準マイクロ波通信装置等に用いることにより有用となるものである。
【図面の簡単な説明】
【００４３】
【図１】本発明の実施の形態１におけるフィルタ装置の断面図
【図２】同フィルタ装置に使用する共振棒の斜視図
【図３】本発明の実施の形態２におけるフィルタ装置の断面図
【図４】同フィルタ装置に使用する共振棒の斜視図
【図５】従来のフィルタ装置の断面図
【図６】従来の他のフィルタ装置を示す断面図
【符号の説明】
【００４４】
１１  シールドケース
１１ｅ  空洞
１２  銀ロウ
１３  共振棒
１３ａ  共振部
１３ｂ  フランジ部
１３ｃ  フィレット形状
１９  共振棒
２０  棒状部材
２１ａ  中空筒状部
２１ｂ  フランジ部
２１ｃ  フィレット形状
【図１】
2008098729.tif 000003
【図２】
2008098729.tif 000004
【図３】
2008098729.tif 000005
【図４】
2008098729.tif 000006
【図５】
2008098729.tif 000007
【図６】
2008098729.tif 000008